(57)【要約】【課題】プレキャストコンクリートブロックの下面に下端主筋が存在する場合でも、取り付けが容易で作業効率を向上できる基礎設置具を提供する。【解決手段】基礎立ち上がり部となるプレキャストコンクリートブロック８の下面に取り付けられ、コンクリート未投入の基礎ベース部の閉鎖型鉄筋９を跨いだ状態で上記プレキャストコンクリートブロック８を支持する基礎設置具１であって、上記プレキャストコンクリートブロック８の下面に取り付けられる取付部２と、上記取付部２の両端側に着脱可能に装着される脚部３とを備える。【選択図】図３
2018162625.tif 000002
【特許請求の範囲】
【請求項１】
基礎立ち上がり部となるプレキャストコンクリートブロックの下面に取り付けられ、コンクリート未投入の基礎ベース部の閉鎖型鉄筋を跨いだ状態で上記プレキャストコンクリートブロックを支持する基礎設置具であって、上記プレキャストコンクリートブロックの下面に取り付けられる取付部と、上記取付部の両端側に締結部材により装着される脚部とを備えることを特徴とする基礎設置具。
【請求項２】
請求項１に記載の基礎設置具において、上記脚部が各々１個の締結部材によって上記取付部に装着されるとともに、上記取付部には、上記締結部材を中心として上記脚部が回るのを制限する当たり部が形成されていることを特徴とする基礎設置具。
【請求項３】
請求項１または請求項２に記載の基礎設置具において、上記取付部と上記脚部との接合箇所の一方の側に面取部が形成され、他方の側には上記面取部に面接触しない段部が形成されていることを特徴とする基礎設置具。
【請求項４】
請求項１〜請求項３のいずれか１項に記載の基礎設置具において、上記取付部と上記脚部の少なくとも一方に空気の抜けが可能な孔部が形成されていることを特徴とする基礎設置具。
【請求項５】
請求項１〜請求項４のいずれか１項に記載の基礎設置具において、上記取付部の両端側は中央側に比べて薄く形成されていることを特徴とする基礎設置具。
【発明の詳細な説明】
【技術分野】
【０００１】
この発明は、基礎ベース部が現場打ちコンクリートからなり、基礎立ち上がり部がプレキャストコンクリートブロックからなる基礎の製作において、コンクリート未投入の上記基礎ベース部の閉鎖型鉄筋上に上記プレキャストコンクリートブロックを設置するための基礎設置具に関する。
【背景技術】
【０００２】
従来より、基礎ベース部が現場打ちコンクリートからなり基礎立ち上がり部がプレキャストコンクリートブロックからなるガレージ基礎が知られている。そして、このガレージ基礎の製作においては、コンクリート未投入の上記基礎ベース部の閉鎖形鉄筋上に上記プレキャストコンクリートブロックを配置するための基礎設置具が用いられる。
【０００３】
そして、特許文献１には、上記基礎設置具に相当するものとして仮支持金具が開示されている。この仮支持金具は、プレキャストコンクリートブロックの底面に取り付けられる取り付け部と、上記取り付け部の少なくとも２箇所から下方に突き出した脚部と、上記基礎支持面上に支持された状態で上記脚部の高さの調整を可能とする高さ調整部とを有し、上記脚部間の空間が下方に開放された門型形状になっている。
【先行技術文献】
【特許文献】
【０００４】
【特許文献１】特許第５８２１０４２号
【発明の概要】
【発明が解決しようとする課題】
【０００５】
ここで、上記特許文献１で挙げられているプレキャストコンクリートブロックにおいては、その下面にあばら筋のみが突出しているが、図８および図９に示すように、あばら筋１０１の下端側の露呈箇所に下端主筋１０２が固定された構造も存在している。上記下端主筋１０２が設けられたプレキャストコンクリートブロック１０３に対しては、この下端主筋１０２が基礎設置具１０５を取り付けることにおいて障害になる。このため、基礎設置具１０５を一旦傾けた状態で、上記プレキャストコンクリートブロック１０３の下面と上記下端主筋１０２との間の隙間から、一方の脚部を挿入してから上記基礎設置具１０５を正立状態に戻すといった作業が必要になり、作業効率が低下するという欠点があった。
【０００６】
この発明は、上記の事情に鑑み、プレキャストコンクリートブロックの下面に下端主筋が存在する場合でも、取り付けが容易で作業効率を向上できる基礎設置具を提供することを目的とする。
【課題を解決するための手段】
【０００７】
この発明の基礎設置具は、上記の課題を解決するために、基礎立ち上がり部となるプレキャストコンクリートブロックの下面に取り付けられ、コンクリート未投入の基礎ベース部の閉鎖型鉄筋を跨いだ状態で上記プレキャストコンクリートブロックを支持する基礎設置具であって、上記プレキャストコンクリートブロックの下面に取り付けられる取付部と、上記取付部の両端側に締結部材により装着される脚部とを備えることを特徴とする。
【０００８】
上記の構成であれば、上記プレキャストコンクリートブロックの下面と下端主筋との間に上記基礎設置具を取り付ける場合でも、この基礎設置具の脚部を上記下面と下端主筋との間に通す必要はなく、上記取付部を上記下面と下端主筋との間に通した後に、この取付部に脚部を装着すればよい。すなわち、プレキャストコンクリートブロックの下面に下端主筋が存在する場合でも、上記基礎設置具であれば容易にプレキャストコンクリートブロックの下面に取り付けできる。また、上記取付部を共用する一方で、上記脚部として複数のタイプを用意して交換することも可能であり、このようにすることで、基礎設置具の低コスト化も図ることができる。
【０００９】
上記脚部が各々１個の締結部材によって上記取付部に装着されるとともに、上記取付部には、上記締結部材を中心として上記脚部が回るのを制限する当たり部が形成されていてもよい。これによれば、各脚部が複数個の締結部材によって上記取付部に装着される構成とする場合に比べて、上記脚部の装着作業を迅速化できる。そして、上記１個の締結部材で上記脚部を上記取付部に例えばインパクトレンチを用いて固定するような場合でも、上記脚部の共回りが上記当たり部によって制限されるので、作業効率を低下させない。
【００１０】
上記取付部と上記脚部との接合箇所の一方の側に面取部が形成され、他方の側には上記面取部に面接触しない段部が形成されていてもよい。ここで、角部となる箇所には面取りを行って取り扱いの安全を図ることが望まれるが、面取部同士が合わさる場合において、両方の面取部の精度を高めてガタツキを生じさせないようにするためには、高い加工コストが生じる場合がある。上記のように、他方の側に上記面取部に面接触しない段部が形成されていると、上記取付部と上記脚部との接合のガタツキ抑制と基礎設置具の低コスト化を図ることができる。
【００１１】
上記取付部と上記脚部の少なくとも一方に空気の抜けが可能な孔部が形成されていてもよい。これによれば、上記取付部或いは上記脚部が空気の溜まり易い断面凹形状部を有するとしても、上記基礎ベース部の閉鎖型鉄筋にコンクリートが投入された際の空気は上記孔部から抜けていくことができるので、コンクリートの強度低下を回避できる。また、上記孔部によって基礎設置具の材料費の節約も図れる。
【００１２】
上記取付部の両端側は中央側に比べて薄く形成されていてもよい。これによれば、上記取付部を上記下面と下端主筋との間に通すことが容易に行えるようになり、上記取付部の取り付け作業の効率化が図れる。
【発明の効果】
【００１３】
本発明であれば、プレキャストコンクリートブロックの下面に下端主筋が存在する場合でも、基礎設置具を容易に取り付けることができるという効果を奏する。
【図面の簡単な説明】
【００１４】
【図１】本発明の実施形態にかかる基礎設置具を用いた基礎作製例を示した斜視図である。
【図２】本発明の実施形態にかかる基礎設置具の斜視図である。
【図３】図２の基礎設置具の平面と正面と側面を示すとともに、正面については閉鎖型鉄筋および基礎立ち上がり部となるプレキャストコンクリートブロックとの配置関係を示した説明図である。
【図４】同図（Ａ）は図２の基礎設置具における取付部の平面図であり、同図（Ｂ）は同図（Ａ）のＡ−Ａ矢視断面図であり、同図（Ｃ）は同図（Ａ）のＢ−Ｂ矢視断面図である。
【図５】同図（Ａ）は図２の基礎設置具における取付部の正面図であり、同図（Ｂ）は取付部の側面図である。
【図６】同図（Ａ）は図２の基礎設置具における面取部と段部を拡大して示した説明図であり、同図（Ｂ）は比較のために示した比較用説明図である。
【図７】図２の基礎設置具をプレキャストコンクリートブロックの下面と下端主筋との間に取り付ける手順例を示した説明図である。
【図８】下端主筋を有するプレキャストコンクリートブロックを示した概略の斜視図である。
【図９】従来の基礎設置具をプレキャストコンクリートブロックの下面と下端主筋との間に取り付ける手順を示した説明図である。
【発明を実施するための形態】
【００１５】
以下、この発明の実施形態を添付図面に基づいて説明する。図１に示すように、この実施形態に係る基礎設置具１は、基礎立ち上がり部となるプレキャストコンクリートブロック８の下面に取り付けられ、例えば捨てコンクリート上でコンクリート未投入の基礎ベース部の閉鎖型鉄筋９を跨いだ状態で上記プレキャストコンクリートブロック８を支持するものである。
【００１６】
上記基礎設置具１は、図２および図３に示すように、上記プレキャストコンクリートブロック８の下面に取り付けられる取付部２と、上記取付部２の両端側に縦配置でボルト（締結部材）５２により装着される脚部３とを備えており、上記脚部３の装着状態で門型形状をなし、上記脚部３・３間に上記閉鎖型鉄筋９を位置させることができる。
【００１７】
上記取付部２は、図４（Ａ）、図４（Ｂ）、図４（Ｃ）、図５（Ａ）および図５（Ｂ）にも示すように、例えば、２枚の側板部２１と、１枚の上側板部２２と、２枚の下側板部２３と、３枚のリブ板部２４とを備えた鋳造一体品となっている。もちろん、これら側板部２１、上側板部２２、下側板部２３およびリブ板部２４が溶接によって相互に固定されてもよい。
【００１８】
上記上側板部２２は、上記プレキャストコンクリートブロック８の下面に接触する部位である。また、上記上側板部２２は、ボルト挿通孔２２ａが２箇所形成されている。上記ボルト挿通孔２２ａに下側から通されたボルト５１を、上記プレキャストコンクリートブロック８の下面に設けられた螺子孔部８１にねじ込むことで、上記基礎設置具１を上記プレキャストコンクリートブロック８の下面に固定することができる。
【００１９】
上記側板部２１は上記上側板部２２の下面に設けられている。また、上記側板部２１には、空気の抜けが可能な孔部２１ａが形成されている。また、上記側板部２１の両端側（脚部３が装着される側）の上面は、端側ほど低くなるように傾斜形成されており、上記取付部２の上記両端側は中央側に比べて薄くされたものとなっている。
【００２０】
また、上記側板部２１の上記両端側の下面部は、上記中央側の下面部よりも上側に位置しており、上記両端側の下面部から上記中央側の下面部にかけて段差が形成されている。この段差における立面には上記脚部３の上部箇所の縦面部が接触し、上記段差における水平面である上記両端側の下面部には、上記脚部３の上部面が接触するようになっている。そして、上記段差箇所において、上記脚部３の後述する面取部３ｂに面接触しない段部２ａが形成されている。なお、上記下側板部２３にも上記段部２ａが形成されている。
【００２１】
上記下側板部２３は、上記側板部２１の両端側に位置する上記リブ板部２４の鉛直方向略中間位置に設けられている。上記リブ板部２４は、上記上側板部２２の下面に設けられている。また、各下側板部２３にはボルト（締結部材）５２が挿通されるボルト挿通孔２３ａが１箇所形成されている。
【００２２】
各脚部３は、１枚の主板部３１と、この主板部３１の両側に位置する２枚の側部縦板部３２と、１枚の上側固定板部３３と、１枚の下側水平板部３４とを備えた鋳造一体品となっている。もちろん、これら主板部３１、側部縦板部３２、上側固定板部３３およびが溶接によって相互に固定されてもよい。
【００２３】
上記主板部３１は、縦に細長い形状を有して鉛直に配置されており、主面が上記閉鎖型鉄筋９に向くように位置する。また、上記主板部３１には、空気の抜けが可能な孔部３１ａが複数形成されている。上記側部縦板部３２は上記主板部３１の縁面に設けられている。また、上記側部縦板部３２は、その上側においては、上記主板部３１に対して内側方向に突出し上記閉鎖型鉄筋９の上側に位置するようになっており、下側においては、上記主板部３１に対して外側方向に突出するようになっている。
【００２４】
上記上側固定板部３３は、上記主板部３１および上記側部縦板部３２の上端面に載せられている。上記上側固定板部３３には、上記ボルト５２が螺合される螺子孔が形成されている。
【００２５】
また、図６（Ａ）に示すように、上記上側固定板部３３における内側位置（閉鎖型鉄筋９が位置する側）の縦面部３ａは、上記側板部２１の上記段差における上記段部２ａの下側の縦面および上記リブ板部２４の縦面に接触する。すなわち、上記側板部２１の上記段差における上記段部２ａの下側の縦面および上記リブ板部２４の縦面によって、上記ボルト（締結部材）５２を中心として上記脚部３における上記上側固定板部３３が回るのを制限する当たり部２ｂが形成されている。そして、上記上側固定板部３３には、上記縦面部３ａの上側位置に面取部３ｂが形成されている。
【００２６】
図３に示したように、上記下側水平板３４は、上記主板部３１および上記側部縦板部３２の下端面に接して配置されており、これら主板部３１および上記側部縦板部３２に固定されている。また、上記下側水平板部３４には、鉛直方向に螺子孔が切られており、この螺子孔にレベル調整用のボルト５３が螺合される。
【００２７】
上記の構成であれば、図７に示すように、上記プレキャストコンクリートブロック８の下面と下端主筋８２との間に上記基礎設置具１を取り付ける場合でも、この基礎設置具１の脚部３を上記下面と下端主筋８２との間に通す必要はなく、上記取付部２を上記下面と下端主筋８２との間に通した後に、この取付部２に脚部３を装着すればよい。すなわち、プレキャストコンクリートブロック８の下面に下端主筋８２が存在する場合でも、上記基礎設置具１であれば容易にプレキャストコンクリートブロック８の下面に取り付けることができる。また、上記取付部２を共用する一方で、上記脚部３として複数のタイプを用意して交換することも可能であり、多種の基礎形状に対応できることから、基礎設置具１の低コスト化も図ることができる。
【００２８】
上記脚部３が各々１個のボルト５２(締結部材)によって上記取付部２に装着される構成であると、各脚部３が複数個の締結部材によって上記取付部２に装着される構成とする場合に比べて、上記脚部３の装着作業を迅速化できる。そして、上記１個のボルト５２(締結部材)で上記脚部３を上記取付部２に例えばインパクトレンチを用いて固定するような場合でも、上記脚部３の共回りが上記当たり部２ｂによって制限されるので、作業効率を低下させない。
【００２９】
なお、上記の例では、上記ボルト５２(締結部材)を縦に設けて上記取付部２に上記脚部３を固定したが、上記ボルト５２(締結部材)を横に設けて上記取付部２に上記脚部３を固定するようにしてもよい。また、上記ボルト５２(締結部材)を横に設ける場合において、上記プレキャストコンクリートブロック８の荷重が上記ボルト５２(締結部材)に極力伝わらないようするのが望ましい。
【００３０】
ここで、図６（Ｂ）に示すように、取付部２′と脚部３′の角部となる箇所には面取りを行って取り扱いの安全を図ることが望まれるが、面取部同士が合わさる場合においてガタツキが生じ易く、取付部２′と脚部３′との接合箇所に大きな隙間が生じてコンクリートが存在しない空隙部が大きく形成されるおそれがある。一方、上記両方の面取部の精度を高めてガタツキを生じさせないようにするためには、高い加工コストが生じるおそれがある。上記のように、上記取付部２に上記面取部３ｂに面接触しない段部２ａが形成されていると、上記取付部２と上記脚部３との接合のガタツキ抑制と基礎設置具１の低コスト化を両立することが可能になる。なお、上記の例では、上記取付部２に上記面取部３ｂに面接触しない段部２ａが形成されたが、これとは逆に、上記取付部２に面取部を形成し、上記脚部３に上記面取部に面接触しない段部が形成されていてもよい。
【００３１】
上記取付部２および上記脚部３に空気の抜けが可能な孔部２１ａ、３１ａ、３２ａが形成されていると、上記取付部２或いは上記脚部３が空気の溜まり易い例えば断面凹形状部を有するとしても、上記基礎ベース部の閉鎖型鉄筋９にコンクリートが投入された際の空気は上記孔部２１ａ、３１ａ、３２ａから抜けていくことができるので、コンクリートの強度低下を回避できる。また、上記孔部２１ａ、３１ａ、３２ａによって基礎設置具１の材料費の節約も図れる。なお、上記孔部２１ａ、３１ａ、３２ａの全てが形成されていることが望ましいが、これに限定されるものではない。
【００３２】
上記取付部２の両端側が中央側に比べて薄く形成されていると、上記取付部２を上記プレキャストコンクリートブロック８の下面と下端主筋８２との間に通すことが容易に行えるようになり、上記取付部２の取り付け作業の効率化が図れる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：基礎設置具
２      ：取付部
２ａ    ：段部
２ｂ    ：当たり部
３      ：脚部
３ａ    ：縦面部
３ｂ    ：面取部
８      ：プレキャストコンクリートブロック
９      ：閉鎖型鉄筋
２１    ：側板部
２１ａ  ：孔部
２２    ：上側板部
２２ａ  ：ボルト挿通孔
２３    ：下側板部
２３ａ  ：ボルト挿通孔
２４    ：リブ板部
３１    ：主板部
３１ａ  ：孔部
３２    ：側部縦板
３２ａ  ：孔部
３３    ：上側固定板
３４    ：下側水平板
５１    ：ボルト
５２    ：ボルト
５３    ：ボルト
８１    ：螺子孔部
８２    ：下端主筋
【図１】
2018162625.tif 000003
【図２】
2018162625.tif 000004
【図３】
2018162625.tif 000005
【図４】
2018162625.tif 000006
【図５】
2018162625.tif 000007
【図６】
2018162625.tif 000008
【図７】
2018162625.tif 000009
【図８】
2018162625.tif 000010
【図９】
2018162625.tif 000011